(57)【特許請求の範囲】
【請求項１】
オーディオ電気信号に応答して音を生成する少なくとも一つの音響スピーカーと、
複数回巻かれた電線からなるソレノイドとを備え、
前記ソレノイドが前記オーディオ電気信号によって励振されるとき、前記ソレノイドの前記複数回巻かれた電線の間で生じる微振動が前記オーディオ電気信号内に含まれる音情報を直接生成して、その音情報を前記少なくとも一つの音響スピーカーからの音に重畳することを特徴とする装置。
【請求項２】
前記ソレノイドは、電気音響フィルタから延びる電線によって前記少なくとも一つの音響スピーカーのツィータに電気的に接続されることを特徴とする、請求項１に記載の装置。
【請求項３】
アンプと前記少なくとも一つの音響スピーカーとの間の一般音源上に直接取り付けられることを特徴とする、請求項１に記載の装置。
【請求項４】
前記ソレノイドは、前記少なくとも一つの音響スピーカーのツィータの横の周囲の空間内に浮遊した状態で配置されることを特徴とする、請求項１から３のいずれか一項に記載の装置。
【請求項５】
前記ソレノイドの内部または外部に配置され、かつ前記ソレノイドの効果を活性化する磁石を更に備えることを特徴とする、請求項１から４のいずれか一項に記載の装置。
【請求項６】
前記微振動は、低いレベルのオーディオ電気信号の高調波を増幅し、その増幅された高調波が前記少なくとも一つの音響スピーカーによって生成された音に重畳されることを特徴とする、請求項１から５のいずれか一項に記載の装置。
【請求項７】
前記ソレノイドはポリマー製の軟質支持体（２）を備え、前記ソレノイドの電線は前記軟質支持体（２）上に巻かれていることを特徴とする、請求項１から６のいずれか一項に記載の装置。
【請求項８】
前記ソレノイドの電線の直径が１０分の１ミリメートルであり、前記軟質支持体（２）の長さが１０ｃｍ、前記軟質支持体（２）の直径が０．８ｃｍであり、前記ソレノイドのインピーダンスが８オームであることを特徴とする、請求項７に記載の装置。
【請求項９】
前記ソレノイドの電線は、同じ方向に巻かれた２つの層（３，４）を形成し、それら２つの層（３，４）は前記ソレノイドの軸に沿って配置される折り返し線（５）で連結されることを特徴とする、請求項１から８のいずれか一項に記載の装置。
【請求項１０】
前記ソレノイドは、前記少なくとも一つの音響スピーカーのツィータの横の周囲の空間内に配置され、かつ前記少なくとも一つの音響スピーカーの正面に機械的に保持されることを特徴とする、請求項１から９のいずれか一項に記載の装置。
【請求項１１】
音再生の分野における方法であって、
オーディオ電気信号に応答して少なくとも一つの音響スピーカーによって音を生成する工程と、
ソレノイドを前記オーディオ電気信号によって励振されて、前記ソレノイドの複数回巻かれた電線の間で微振動を発生させる工程とを備え、前記少なくとも一つの音響スピーカーからの音に重畳され、かつ前記オーディオ電気信号内に含まれる音情報を前記微振動が直接生成することを特徴とする方法。
【発明の詳細な説明】
【０００１】
音再生の分野では、磁石式電動機またはテープ式静電気スピーカーによって励振される振動板が、通常使用される。
【０００２】
通常これらの製品は、音響効率および加速度によって識別される。
【０００３】
これらすべての製品は、音を発生するために、大きな運動質量を有する。反対に、音は、空気中の粒子の間の衝突であって、無限小の質量を有し、およそ毎秒３００ｍと高い音の伝搬速度を与える。
【０００４】
プラズマ式スピーカーなどの製品は、空気中の粒子レベルで作用することから、空気の物理特性に近い。この方法の問題点は、空気の組成の化学変化を経ることで、そのため実施手段は比較的高価であった。
【０００５】
本発明の方法及び装置は、使用されている音響スピーカーなどの現在の音再生スピーカーを補足するものである。これらのスピーカーは、必要不可欠ではあるが全く洗練されていない音の基礎をつくり出し、特に音の相互変調が重視されないという特徴的な欠陥がある。本方法と装置は、スピーカーの粗い音信号に、元のオーディオ電気信号に含まれる精細音情報を重畳するものである。この音情報は、時空間の高調波の増幅と、正確な次数である。
【０００６】
本発明の方法及び装置は、周囲の空気中の粒子に依存する低レベルの電磁気を使用し、地球磁場上に新たな磁場を発生させる。このため空気中の粒子は、安定した基準の地球磁場に対して変動する新しい磁場によって振動する。
【０００７】
したがって本発明の方法及び装置は、低いレベルであるが聴覚にとっては極めて重要な音の高調波を増幅し、それによって非常に明瞭な音の再生を可能にする。本発明の装置の音の実行速度は惰性と機械的牽引がないことを特徴とするが、何故ならそれは見かけ上機械的運動なしにソレノイドによって実施されるからである。したがって音の発生は、一方では空間中の分子の振動によって実現され、他方ではソレノイドの種類や態様に従って一つまたは複数のソレノイドの電線の音の微振動によっても実現されることができる。
【０００８】
本発明の方法及び装置の変型は、内部または外部に少なくとも一つの磁石を追加したソレノイドであり、その効果を活性化するが、磁石の磁場の残留磁化がその一定の磁場を課して地球磁場をマスクするので、感度は減少する。
【０００９】
本発明に従う一実施形態の方法及び装置は、直径１／１０ミリメートルの電線（１）からなる少なくとも一つのソレノイドによって構成された装置（図１）を特徴とし、この場合、該電線は、長さ１０ｃｍ、直径０．８ｃｍのポリマー製の軟質支持体（２）上に巻かれている。このソレノイドのインピーダンスは８オームであり、ソレノイドの特徴は、それぞれの層（３，４）がソレノイドの同じ方向に巻かれ、折り返し線（５）がソレノイドに沿って配置されることである。このソレノイドの態様は、第一及び第二の層の巻きの間に電圧差があるので、巻回された電線の間で微振動を可能にする。これらの微振動が高調波の音の増幅に寄与する。この装置は音響スピーカーまたは音源のオーディオ電気信号に結合される。この装置は通常の電気音響変換器を補足する。この装置は当業者によって実現され、本発明の方法及び装置の非制限的な実施態様に当たる。この装置（図１）は正面（１）の前の音響スピーカー（８）内に組み込まれる（図２）。本装置の電気音響変換ソレノイド（２）はツィーター（３）の横の周囲の空間内に浮遊した状態で取り付けられる。それは２本のねじ（４）で機械的に保持された正面上に取り付けられ、電気音響フィルタ（７）から来る電線（５，６）によってツィーター（３）とともに電気的に取り付けられる。ソレノイドは、任意の形状、例えば円形、円錐形、正方形またはその他あらゆる形の断面を有することができる。この組み立てだけが装置の用途ではない。この新規な電気音響変換器は、アンプと音響スピーカーとの間の一般音源上に直接取り付けることができる。
【００１０】
これらの新規な電気音響変換器は相互に直列または並列に、またその両方の形式で取り付けることができる。
これらの音響変換器は高調波増幅器である。
【００１１】
振動板を有しないソレノイドに限定した電気音響装置は、比類のない音響の繊細さを与える。上下の幾重にもなるソレノイドは、実現がもっと複雑な、本発明の装置で紹介したものと同じ性質の電気音響変換器も構成する。
【００１２】
この装置は、すべてのオーディオシステム、オーディオ−ビデオシステム、および電話、無線などの一切の通信形態に、ならびに難聴者の聞き取りの改善のために医学界でも使用可能である。
【図１】
0004413433.tif 000002
【図２】
0004413433.tif 000003